(57)【要約】【目的】  発光素子の発光を広い範囲から認識することができると共に製造コストを削減した代表ランプ装置が設置された遊技機島台の妻板を提供する。【構成】  プリズム体２１は、ＬＥＤ５０から発光された光を受ける第１プリズム内面と、第１プリズム内面で反射された光を受ける第２プリズム内面と、第２プリズム内面で反射された光を受けると共に列設平行線８に垂直な第３プリズム内面と、を備えたプリズム部を有し、プリズム部は、ＬＥＤ５０から発光された光を、第１プリズム内面及び第２プリズム内面で反射させた後その光束中心線が第３プリズム内面に対して垂直となるように第３プリズム内面を透過させることによりパチンコ機で遊技をする遊技者の方向と、第１プリズム内面又は第２プリズム内面を透過させることによりパチンコ機で遊技をする遊技者の方向以外の方向と、の二つの方向へ出射するためＬＥＤ５０の発光を広い範囲から認識できる。【選択図】        図１１
2006217987.tif 000002
【特許請求の範囲】
【請求項１】
外部から入力した信号に基づいて所定の光束幅を有して一定方向に高輝度で発光する発光素子と該発光素子から入射される光を外部へ出射するプリズム体とを備えたランプ装置が設置される遊技機島台の妻板において、
前記ランプ装置は、前記妻板の外側面の側方角部に設置され、
前記発光素子は、該発光素子の立設方向に平行な前記所定の光束幅の中心線を示す光束中心線と、前記遊技機島台に列設される遊技機の列設方向に平行な列設平行線と、でなされる角度がほぼ１３５°となるように配置され、
前記プリズム体は、
少なくとも、前記発光素子から入射された光を受ける第１プリズム内面と、
該第１プリズム内面で受けた光のうち該第１プリズム内面で反射された光を主として受ける第２プリズム内面と、
前記列設平行線に対してほぼ垂直となるように設置されて前記第２プリズム内面で受けた光のうち該第２プリズム内面で反射された光を主として受ける第３プリズム内面と、を備えたプリズム部を有し、
該プリズム部は、
前記発光素子から発光された光を、
前記第１プリズム内面及び前記第２プリズム内面で反射させた後その光束中心線が前記第３プリズム内面に対してほぼ垂直となるようにして該第３プリズム内面を透過させることにより遊技機で遊技をする遊技者の方向と、
前記第１プリズム内面又は前記第２プリズム内面を透過させることにより遊技機で遊技をする遊技者の方向以外の方向と、の少なくとも二つの異なる方向に分割して外部へ出射することを特徴とする遊技機島台の妻板。
【請求項２】
前記プリズム体は、
少なくとも、該プリズム体を前記妻板に設置した際に遊技者側に位置するその一側方に形成される前記プリズム部と、
該プリズム部に隣接して形成され、該プリズム部側から前記プリズム体の中央側へ向けて下り傾斜し且つその外面が前記プリズム体の平面視での縦中心線とほぼ４５°の角度をなすように設置される先端プリズム内面を備えた鋭角状の先端プリズム部と、
前記縦中心線を挟んで前記プリズム部及び前記先端プリズム部と線対称でそれぞれ形成される対称プリズム部及び対称先端プリズム部と、から構成され、
前記対称プリズム部には、前記プリズム部の第１プリズム内面及び第２プリズム内面及び第３プリズム内面と対応する位置に、それぞれ対称第１プリズム内面及び対称第２プリズム内面及び対称第３プリズム内面が形成され、
前記対称先端プリズム部には、前記先端プリズム部の先端プリズム内面と対応する位置に対称先端プリズム内面が形成され、
前記対称プリズム部は、
該対称プリズム部に対応して備えられた発光素子から発光された光を、
前記対称第１プリズム内面及び前記対称第２プリズム内面で反射させた後その光束中心線が前記対称第３プリズム内面に対してほぼ垂直となるようにして該対称第３プリズム内面を透過させることにより前記妻板の平面視での長手方向にほぼ平行な方向と、
前記対称第１プリズム内面又は前記対称第２プリズム内面を透過させることにより前記妻板の平面視での長手方向にほぼ平行な方向以外の方向と、の少なくとも二つの異なる方向に分割して外部へ出射し、
前記先端プリズム部及び前記対称先端プリズム部は、
前記先端プリズム部及び前記対称先端プリズム部に対応してそれぞれ備えられた発光素子から発光された光を、
前記先端プリズム内面及び前記対称先端プリズム内面でその光束中心線がほぼ９０°の角度で方向転換するように反射させて外部へ出射することを特徴とする請求項１記載の遊技機島台の妻板。
【請求項３】
前記プリズム体は、該プリズム体の厚さ方向で複数列設して一体的に形成されることにより、前記発光素子から発光される光を少なくとも二つの異なる方向に分割して外部へ出射するプリズム集合体として構成されることを特徴とする請求項１又は請求項２に記載の遊技機島台の妻板。
【請求項４】
前記発光素子は、複数種類の発光色を出射する発光素子を含むと共に縦方向及び横方向で列状に配置され、
同じ発光色を出射する発光素子で構成される直線状の列が斜め方向に形成されるように複数種類の発光色を出射する前記発光素子が配置されていることを特徴とする請求項１乃至請求項３のいずれかに記載の遊技機島台の妻板。
【発明の詳細な説明】
【技術分野】
【０００１】
本発明は、外部から入力した信号に基づいて所定の光束幅を有して一定方向に高輝度で発光する発光素子と該発光素子から入射される光を外部へ出射するプリズム体とを備えたランプ装置が設置される遊技機島台の妻板に関するものである。
【背景技術】
【０００２】
一般的に、遊技場におけるパチンコ機やスロット機等の遊技機には、その上方に呼出ランプが設置されている。この呼出ランプは、遊技客が呼出ランプに備えられた呼出ボタンを押すことにより点灯するものであり、このように点灯させることにより遊技客が遊技場の係員を呼び出すものである。
【０００３】
また、遊技機が列設される遊技機島台の長手方向の端部には、いわゆる妻板が設けられており、この妻板には上記した呼出ボタンを押すことにより呼出ランプと連動して点灯するランプ装置（代表ランプ装置）が設けられている。従って、遊技場の係員は、遊技客が係員を呼び出していることを呼出ランプだけでなく、代表ランプ装置の点灯によっても知ることができるようになっている。このように、遊技客が係員を呼び出すための代表ランプ装置が遊技機島台の端部に備えられているため、係員が遊技機島台から離れた位置にいる場合であっても、遊技客が係員を呼び出していることを容易に認識することができる。
【０００４】
一方、近年、発光体として、消費電力が小さい等の理由により発光ダイオード（ＬＥＤ）等の発光素子が多く用いられるようになってきたが、このＬＥＤは指向性が高いため、主として、強い光を狭い範囲で出射する様な用途で使用されている。しかし、上記した代表ランプ装置のように、遊技客からの呼出等の情報を広い範囲で報知しなければならないようなものに適用する場合、ＬＥＤを様々な方向に向けて設置しなければならず、使用するＬＥＤの個数が多くなってしまうため、不向きであると考えられていた。
【０００５】
そこで、少ない個数のＬＥＤでもより広い範囲に亘って光を出射することができる代表ランプ装置として、ＬＥＤから発光される光をプリズムを用いて分割することにより、二つの異なる方向に向けて出射するものが提案されている（例えば、特許文献１）。
【特許文献１】特開２００３−７１１１１号公報
【発明の開示】
【発明が解決しようとする課題】
【０００６】
しかしながら、上記した特許文献１における代表ランプ装置の場合、ＬＥＤから発光された光を約９０°の範囲でしかプリズムによって分割することができないものであった。このため、例えば、プリズムから出射される光が遊技をしている遊技者に向けられているときには、遊技機島台から離れている遊技場の係員がＬＥＤから発光された光を認識することができず、１つの代表ランプ装置で遊技者及び遊技場の係員の双方がＬＥＤの発光を認識できるものではなかった。このため、特許文献１における代表ランプ装置においては、遊技をしている遊技者及び遊技場の係員が認識できるよう妻板の側方角部を形成する２つの面にそれぞれ設置されていた。つまり、妻板の側方角部、付近には、計２個の代表ランプ装置が必要となる。
【０００７】
このように、特許文献１における代表ランプ装置は、遊技をする遊技者と遊技場の係員のためにそれぞれ必要とするものであるため、代表ランプ装置の個数が増え、それに伴い費用が高騰してしまう。そこで、代表ランプ装置を設置するための費用を低減するものとして、１つの代表ランプ装置で遊技者と係員の双方がＬＥＤの発光を認識できるというものが考えられるが、このようなものとして、ＬＥＤを所要の方向にそれぞれ向けて実装した代表ランプ装置が考えられる。しかし、代表ランプ装置のＬＥＤを所要の方向にそれぞれ向けて実装するには、所要の方向にそれぞれ向けるＬＥＤ及びＬＥＤを実装する基板が必要となるため、ＬＥＤの個数及び基板の枚数が増えてしまい、製造コストが上昇するという問題がある。
【０００８】
本発明は、上記した事情に鑑みなされたもので、その目的とするところは、発光素子が発光した状態を広い範囲から認識することができると共に、製造コストを削減した代表ランプ装置が設置された遊技機島台の妻板を提供することを目的とする。
【課題を解決するための手段】
【０００９】
上記した目的を達成するために、請求項１に係る発明においては、図５乃至図９に示すように、外部から入力した信号に基づいて所定の光束幅を有して一定方向に高輝度で発光するＬＥＤ（発光素子）５０と該ＬＥＤ５０から入射される光を外部へ出射するプリズム体２１とを備えた代表ランプ装置（ランプ装置）７が設置されるパチンコ島台（遊技機島台）１の妻板６において、前記代表ランプ装置７は、前記妻板６の外側面の側方角部に設置され、前記ＬＥＤ５０は、該ＬＥＤ５０の立設方向に平行な前記所定の光束幅の中心線を示す光束中心線ｃと、前記パチンコ島台１に列設されるパチンコ機（遊技機）２の列設方向に平行な列設平行線８と、でなされる角度がほぼ１３５°となるように配置され、前記プリズム体２１は、少なくとも、前記ＬＥＤ５０から入射された光を受ける第１プリズム内面３１ａと、該第１プリズム内面３１ａで受けた光のうち該第１プリズム内面３１ａで反射された光を主として受ける第２プリズム内面３２ａと、前記列設平行線８に対してほぼ垂直となるように設置されて前記第２プリズム内面３２ａで受けた光のうち該第２プリズム内面３２ａで反射された光を主として受ける第３プリズム内面３３ａと、を備えたプリズム部３０ａを有し、該プリズム部３０ａは、前記ＬＥＤ５０から発光された光を、前記第１プリズム内面３１ａ及び前記第２プリズム内面３２ａで反射させた後その光束中心線が前記第３プリズム内面３３ａに対してほぼ垂直となるようにして該第３プリズム内面３３ａを透過させることによりパチンコ機２で遊技をする遊技者の方向と、前記第１プリズム内面３１ａ又は前記第２プリズム内面３２ａを透過させることによりパチンコ機２で遊技をする遊技者の方向以外の方向と、の少なくとも二つの異なる方向に分割して外部へ出射することを特徴とする。
【００１０】
また、請求項２に係る発明においては、図５乃至図９に示すように、請求項１記載のパチンコ島台１の妻板６は、前記プリズム体２１は、少なくとも、該プリズム体２１を前記妻板６に設置した際に遊技者側に位置するその一側方に形成される前記プリズム部３０ａと、該プリズム部３０ａに隣接して形成され、該プリズム部３０ａ側から前記プリズム体２１の中央側へ向けて下り傾斜し且つその外面が前記プリズム体２１の平面視での縦中心線３４とほぼ４５°の角度をなすように設置される先端プリズム内面３７ａを備えた鋭角状の先端プリズム部３５ａと、前記縦中心線３４を挟んで前記プリズム部３０ａ及び前記先端プリズム部３５ａと線対称でそれぞれ形成される対称プリズム部３０ｂ及び対称先端プリズム部３５ｂと、から構成され、前記対称プリズム部３０ｂには、前記プリズム部３０ａの第１プリズム内面３１ａ及び第２プリズム内面３２ａ及び第３プリズム内面３３ａと対応する位置に、それぞれ対称第１プリズム内面３１ｂ及び対称第２プリズム内面３２ｂ及び対称第３プリズム内面３３ｂが形成され、前記対称先端プリズム部３５ｂには、前記先端プリズム部３５ａの先端プリズム内面３７ａと対応する位置に対称先端プリズム内面３７ｂが形成され、前記対称プリズム部３０ｂは、該対称プリズム部３０ｂに対応して備えられたＬＥＤ５０から発光された光を、前記対称第１プリズム内面３１ｂ及び前記対称第２プリズム内面３２ｂで反射させた後その光束中心線が前記対称第３プリズム内面３３ｂに対してほぼ垂直となるようにして該対称第３プリズム内面３３ｂを透過させることにより前記妻板６の平面視での長手方向にほぼ平行な方向と、前記対称第１プリズム内面３１ｂ又は前記対称第２プリズム内面３２ｂを透過させることにより前記妻板６の平面視での長手方向にほぼ平行な方向以外の方向と、の少なくとも二つの異なる方向に分割して外部へ出射し、前記先端プリズム部３５ａ及び前記対称先端プリズム部３５ｂは、前記先端プリズム部３５ａ及び前記対称先端プリズム部３５ｂに対応してそれぞれ備えられたＬＥＤ５０から発光された光を、前記先端プリズム内面３７ａ及び前記対称先端プリズム内面３７ｂでその光束中心線がほぼ９０°の角度で方向転換するように反射させて外部へ出射することを特徴とする。
【００１１】
また、請求項３に係る発明においては、図５に示すように、請求項１又は請求項２に記載の妻板６は、前記プリズム体２１は、該プリズム体２１の厚さ方向で複数列設して一体的に形成されることにより、前記ＬＥＤ５０から発光される光を少なくとも二つの異なる方向に分割して外部へ出射するプリズム集合体２０として構成されることを特徴とする。
【００１２】
また、請求項４に係る発明においては、図３に示すように、請求項１乃至請求項３のいずれかに記載の妻板６は、前記ＬＥＤ５０は、複数種類の発光色を出射するＬＥＤ５０を含むと共に縦方向及び横方向で列状に配置され、同じ発光色を出射するＬＥＤ５０で構成される直線状の列が斜め方向に形成されるように複数種類の発光色を出射する前記ＬＥＤ５０が配置されていることを特徴とする。
【発明の効果】
【００１３】
請求項１に係る発明においては、代表ランプ装置７は、妻板６の外側面の側方角部に設置され、ＬＥＤ５０は、ＬＥＤ５０の立設方向に平行な所定の光束幅の中心線を示す光束中心線ｃと、パチンコ島台１に列設されるパチンコ機２の列設方向に平行な列設平行線８と、でなされる角度がほぼ１３５°となるように配置され、プリズム体２１は、少なくとも、ＬＥＤ５０から入射された光を受ける第１プリズム内面３１ａと、第１プリズム内面３１ａで受けた光のうち第１プリズム内面３１ａで反射された光を主として受ける第２プリズム内面３２ａと、列設平行線８に対してほぼ垂直となるように設置されて第２プリズム内面３２ａで受けた光のうち第２プリズム内面３２ａで反射された光を主として受ける第３プリズム内面３３ａと、を備えたプリズム部３０ａを有し、プリズム部３０ａは、ＬＥＤ５０から発光された光を、第１プリズム内面３１ａ及び第２プリズム内面３２ａで反射させた後その光束中心線が第３プリズム内面３３ａに対してほぼ垂直となるようにして第３プリズム内面３３ａを透過させることによりパチンコ機２で遊技をする遊技者の方向と、第１プリズム内面３１ａ又は第２プリズム内面３２ａを透過させることによりパチンコ機２で遊技をする遊技者の方向以外の方向と、の少なくとも二つの異なる方向に分割して外部へ出射する。
【００１４】
このように、ＬＥＤ５０から発光された光は、少なくとも、第１プリズム内面３１ａ及び第２プリズム内面３２ａで反射した後に第３プリズム内面３３ａを透過して外部へ出射する光と、第１プリズム内面３１ａ又は第２プリズム内面３２ａを透過して外部へ出射する光と、に分割される。そして、第３プリズム内面３３ａを透過した光は、遊技をする遊技者の方向に向けて出射され、第１プリズム内面３１ａ又は第２プリズム内面３２ａを透過した光は、遊技をする遊技者の方向以外の方向、例えば、遊技場に設けられた通路に向けて出射される。このため、ＬＥＤ５０が発光していることを遊技者及び通路に待機している遊技場の係員の双方が認識することができる。
【００１５】
従って、遊技者の方向及びそれ以外の方向に向けてそれぞれ基板を設け、この基板毎にＬＥＤ５０を実装するという構成にすることなく、ＬＥＤ５０が発光していることを遊技者及び遊技場の係員の双方が認識することができる。このように、ＬＥＤ５０の個数及び基板の枚数を削減することができるため、ＬＥＤ５０が発光した状態を広い範囲から認識することができる代表ランプ装置７を低コストで製造することができる。
【００１６】
また、請求項２に係る発明においては、プリズム体２１は、少なくとも、プリズム体２１を妻板６に設置した際に遊技者側に位置するその一側方に形成されるプリズム部３０ａと、プリズム部３０ａに隣接して形成され、プリズム部３０ａ側からプリズム体２１の中央側へ向けて下り傾斜し且つその外面がプリズム体２１の平面視での縦中心線３４とほぼ４５°の角度をなすように設置される先端プリズム内面３７ａを備えた鋭角状の先端プリズム部３５ａと、縦中心線３４を挟んでプリズム部３０ａ及び先端プリズム部３５ａと線対称でそれぞれ形成される対称プリズム部３０ｂ及び対称先端プリズム部３５ｂと、から構成され、対称プリズム部３０ｂには、プリズム部３０ａの第１プリズム内面３１ａ及び第２プリズム内面３２ａ及び第３プリズム内面３３ａと対応する位置に、それぞれ対称第１プリズム内面３１ｂ及び対称第２プリズム内面３２ｂ及び対称第３プリズム内面３３ｂが形成され、対称先端プリズム部３５ｂには、先端プリズム部３５ａの先端プリズム内面３７ａと対応する位置に対称先端プリズム内面３７ｂが形成され、対称プリズム部３０ｂは、対称プリズム部３０ｂに対応して備えられたＬＥＤ５０から発光された光を、対称第１プリズム内面３１ｂ及び対称第２プリズム内面３２ｂで反射させた後その光束中心線が対称第３プリズム内面３３ｂに対してほぼ垂直となるようにして対称第３プリズム内面３３ｂを透過させることにより妻板６の平面視での長手方向にほぼ平行な方向と、対称第１プリズム内面３１ｂ又は対称第２プリズム内面３２ｂを透過させることにより妻板６の平面視での長手方向にほぼ平行な方向以外の方向と、の少なくとも二つの異なる方向に分割して外部へ出射し、先端プリズム部３５ａ及び対称先端プリズム部３５ｂは、先端プリズム部３５ａ及び対称先端プリズム部３５ｂに対応してそれぞれ備えられたＬＥＤ５０から発光された光を、先端プリズム内面３７ａ及び対称先端プリズム内面３７ｂでその光束中心線がほぼ９０°の角度で方向転換するように反射させて外部へ出射する。
【００１７】
このように、プリズム体２１には、その縦中心線３４を挟んでプリズム部３０ａと線対称の位置に対称形状の対称プリズム部３０ｂが形成されており、ＬＥＤ５０から発光された光は、この対称プリズム部３０ｂによって、妻板６の平面視での長手方向にほぼ平行な方向、例えば、遊技場に設けられた通路とほぼ平行な方向と、この方向以外の方向と、の少なくとも二つの異なる方向に分割して外部へ出射される。このため、代表ランプ装置７から遠く離れて通路上に待機している係員がこの代表ランプ装置７のＬＥＤ５０が発光していることを認識し易くなると共に、通路が設けられている方向以外の方向に待機している係員もＬＥＤ５０の発光を認識し易くなる。
【００１８】
また、プリズム体２１には、その縦中心線３４を挟んで対称形状の先端プリズム部３５ａ及び対称先端プリズム部３５ｂが形成されており、ＬＥＤ５０から発光された光は、この先端プリズム部３５ａ及び対称先端プリズム部３５ｂによってそれぞれ９０°の角度で方向転換するように反射され外部へ出射される。このため、ＬＥＤ５０から発光された光をそれぞれプリズム体２１のほぼ真横の方向へ出射させることができる。
【００１９】
以上のように、プリズム体２１は、ＬＥＤ５０から発光された光を様々な方向に出射する上記したプリズム部３０ａ，対称プリズム部３０ｂ，先端プリズム部３５ａ，対称先端プリズム部３５ｂにより構成されているため、ＬＥＤ５０が発光した状態をより広い範囲から認識させることができる。
【００２０】
また、請求項３に係る発明においては、プリズム体２１は、プリズム体２１の厚さ方向で複数列設して一体的に形成されることにより、ＬＥＤ５０から発光される光を少なくとも二つの異なる方向に分割して外部へ出射するプリズム集合体２０として構成される。
【００２１】
このように構成することにより、代表ランプ装置７を組み立てる際、複数のプリズム体２１を個々に組み付けることがないため、容易に代表ランプ装置７の組み立てをすることができる。
【００２２】
また、請求項４に係る発明においては、ＬＥＤ５０は、複数種類の発光色を出射するＬＥＤ５０を含むと共に縦方向及び横方向で列状に配置され、同じ発光色を出射するＬＥＤ５０で構成される直線状の列が斜め方向に形成されるように複数種類の発光色を出射するＬＥＤ５０が配置されている。
【００２３】
このように構成することにより、例えば、ある一つの色彩のＬＥＤ５０だけを発光させた場合であっても、縦一列にあるいは横一列に同じ色彩のＬＥＤ５０を配置したときと比べて、プリズムをより広い範囲に亘って発光させることができる。また、複数の色彩のＬＥＤ５０を発光させた場合でも、プリズムが発光する際の態様に変化を持たせることができる。
【発明を実施するための最良の形態】
【００２４】
以下、図面を参照して本発明の実施形態について説明する。まず、図１を参照して本実施形態に係るパチンコ島台１の概略構成について説明する。図１は、実施形態に係るパチンコ島台１の外観斜視図である。図１において、パチンコ島台（遊技機島台）１は、周知のように、直方体状に枠組み構成され、その長手方向側面にパチンコ機（遊技機）２を背向列設するようになっている。
【００２５】
また、パチンコ島台１のほぼ中央には、玉揚送装置収納部３が形成され、この玉揚送装置収納部３内に玉揚送装置（図示しない）が収納設置されている。本実施形態に係る玉揚送装置は、貯留タンク（図示しない）に貯留されたパチンコ玉を帯状の搬送ベルト（図示しない）によって揚送するものであり、その帯状の搬送ベルトがパチンコ島台１に対して縦方向（直交方向）に設置されてパチンコ玉を上部に揚送するものである。玉揚送装置の上部には、揚送されたパチンコ玉を一時的に貯留する上部タンク４が設けられている。その上部タンク４からは、左右に補給樋（図示しない）が傾斜状に設けられており、上部タンク４からパチンコ玉を流下させるようになっている。この補給樋には、各パチンコ機２に対応して分配シュート（図示しない）が設けられ、補給樋を流下するパチンコ玉を取り込むようになっている。分配シュートによって取り込まれたパチンコ玉は、分配シュートの下部に設けられる計数装置（図示しない）によって計数された後、パチンコ機２の背面上部に設けられる賞球タンク（図示しない）に供給され、遊技によって遊技者に払い出される賞球として使用される。また、図１に示すように、各パチンコ機２に挟まれるようにして、パチンコ玉を貸し出すための台間玉貸機５が設けられているが、分配シュートは、この台間玉貸機５にも接続されている。
【００２６】
一方、各パチンコ機２から排出される使用済玉は、計数機能を有するアウト玉箱（図示しない）に送られ、このアウト玉箱から玉排出ノズル（図示しない）を介して貯留タンクに導かれるようになっている。
【００２７】
以上、本実施形態に係るパチンコ島台１の構成について説明したが、次に、本実施形態の要部を構成する代表ランプ装置（ランプ装置）７が設置されるパチンコ島台１の妻板６について図２乃至図１１を参照して説明する。図２は、妻板６にＬＥＤ取付基板４０及び基板カバー５５を取り付ける状態を示す斜視図であり、図３は、ＬＥＤ取付基板４０を取り付けた妻板６にプリズム集合体２０及び装飾カバー１５を取り付ける状態を示す斜視図であり、図４は、妻板６に代表ランプ装置７が取り付けられた状態を示す斜視図であり、図５は、プリズム集合体２０の斜視図及びプリズム集合体２０を構成するプリズム体２１の形状を示す図であり、図６は、ＬＥＤ５０から発光される光のプリズム集合体２０内での状態を示す図であり、図７は、ＬＥＤ５０から発光される光がプリズム集合体２０内で全反射して第３プリズム内面３３ａから外部へ出射する状態を示す図であり、図８は、ＬＥＤ５０から発光される光が第１プリズム内面３１ａから外部へ出射する状態を示す図であり、図９は、ＬＥＤ５０から発光される光が第２プリズム内面３２ａから外部へ出射する状態を示す図であり、図１０は、ＬＥＤ５０から発光される光がプリズム集合体２０全体から外部へ出射される状態を示す図であり、図１１は、妻板６に設置した代表ランプ装置７から光が外部へ出射される状態を示す図である。
【００２８】
図４に示す、本実施形態に係る代表ランプ装置７は、主として、図２及び図３で示すように、ＬＥＤ５０が取り付けられるＬＥＤ取付基板４０と、ＬＥＤ取付基板４０の裏面側に取り付けられてＬＥＤ取付基板４０を保護する基板カバー５５と、ＬＥＤ取付基板４０の前面側に取り付けられてＬＥＤ５０から発光される光を入射し外部へ出射するプリズム集合体２０と、プリズム集合体２０の前面側に取り付けられて代表ランプ装置７を装飾する装飾カバー１５と、から構成されている。
【００２９】
まず、ＬＥＤ取付基板４０について説明すると、図２に示すように、ＬＥＤ取付基板４０の中央部分は、ＬＥＤ５０が配置されるＬＥＤ配置部４５として形成され、このＬＥＤ配置部４５の上下両端は、ＬＥＤ取付基板４０を妻板６に取り付けるための取付嵌合部４２として形成されている。なお、ＬＥＤ配置部４５の裏面には、ＬＥＤ５０が実装されたＬＥＤ基板（図示しない）が取り付けられている。
【００３０】
ＬＥＤ配置部４５は、ほぼ平面状に形成されると共に、上記したＬＥＤ基板をその裏面に取り付けたとき、ＬＥＤ基板に実装されたＬＥＤ５０の先端部分が突出する複数のＬＥＤ挿入穴４１が穿設されている。本実施形態の場合、ＬＥＤ基板には、縦方向に３列及び横方向に１２列で合計３６個のＬＥＤ５０が配置されているため、ＬＥＤ挿入穴４１もＬＥＤ配置部４５に３６個穿設されている。また、ＬＥＤ基板には、ＬＥＤ５０に信号を送るためのＬＥＤケーブル５１が接続されており、このＬＥＤケーブル５１の先端にはＬＥＤコネクタ５２が備えられている。
【００３１】
上記したように、ＬＥＤ５０が実装されたＬＥＤ基板をＬＥＤ配置部４５の裏面から取り付けることにより、３６個のＬＥＤ５０がＬＥＤ取付基板４０に設置されることとなるが、この３６個のＬＥＤ５０は、それぞれ赤色，緑色，青色の発光色を出射する３種類のＬＥＤ５０を含んでいる。そして、同じ発光色を出射するＬＥＤ５０で構成される直線状の列が斜め方向に形成されるように３種類のＬＥＤ５０が配置されている。具体的には、図３に示すように、３つの赤色のＬＥＤ５０で構成されるＬＥＤ群５０Ｒ、３つの緑色のＬＥＤ５０で構成されるＬＥＤ群５０Ｇ、３つの青色のＬＥＤ５０で構成されるＬＥＤ群５０Ｂがそれぞれ左上がりの斜め方向で配列されている。ただし、最下列左側の１つの赤色のＬＥＤ５０でＬＥＤ群５０Ｒが構成され、最下列中央の緑色のＬＥＤ５０及び下から２列目左側の緑色のＬＥＤ５０によってＬＥＤ群５０Ｇが構成されている。図示しないが、同様に、最上列右側の１つの緑色のＬＥＤ５０でＬＥＤ群５０Ｇが構成され、最上列中央の赤色のＬＥＤ５０及び上から２列目右側の赤色のＬＥＤ５０によってＬＥＤ群５０Ｒが構成されている。
【００３２】
このように、同じ発光色を出射するＬＥＤ５０で構成される直線状の列が斜め方向に形成されるように３種類のＬＥＤ５０が配置されているため、例えば、ある一つの発光色を出射するＬＥＤ５０だけを発光させた場合であっても、縦一列にあるいは横一列に同じ発光色のＬＥＤ５０を配置したときと比べて、プリズム集合体２０をより広い範囲に亘って発光させることができる。また、複数の発光色のＬＥＤ５０を発光させた場合には、プリズム集合体２０が発光する際の態様に変化を持たせることができる。
【００３３】
また、取付嵌合部４２は、妻板６の角部の形状に合うように三角形状で前面側に突出して形成されており、その先端部分には、ＬＥＤ取付基板４０に装飾カバー１５を取り付けるための取付ネジ穴４４が穿設された取付フランジ４３が形成されている。
【００３４】
次に、基板カバー５５は、ＬＥＤ取付基板４０への取付側が開口して台形形状に形成されるものであり、ＬＥＤ基板を取り付けたＬＥＤ取付基板４０の裏面側から、ＬＥＤ基板を覆うように取り付けるものである。基板カバー５５の長手方向の両側方には、基板カバー５５をＬＥＤ取付基板４０に取り付ける際に、ＬＥＤ取付基板４０に形成された係合穴（図示しない）に係合する係合片５６が形成されている。また、開口側と反対の面には、上記したＬＥＤケーブル５１が挿通されるケーブル挿通穴５７が穿設されている。
【００３５】
しかして、ＬＥＤ取付基板４０に取り付けられたＬＥＤ基板のＬＥＤケーブル５１をケーブル挿通穴５７に挿通した後、基板カバー５５の係合片５６をＬＥＤ取付基板４０の係合穴に係合させることにより、ＬＥＤ取付基板４０の後面側から基板カバー５５を取り付ける。
【００３６】
次に、プリズム集合体２０は、ＬＥＤ５０の横方向の列を構成する３つのＬＥＤ５０に対応して１つ設けられるプリズム体２１を、プリズム体２１の厚さ方向で複数列設して一体的に形成することにより構成されるものである。このプリズム体２１は、図５で示すように、１０ｍｍの厚さで形成されるものであり、このプリズム体２１が５ｍｍ間隔で連続的に１２個一体的に形成されることにより、プリズム集合体２０が構成されている。
【００３７】
このように、プリズム体２１がその厚さ方向で複数列設されて一体的に形成されることにより、ＬＥＤ５０から発光される光を少なくとも二つの異なる方向へ出射するプリズム集合体２０として構成されているため、代表ランプ装置７を組み立てる際、複数のプリズム体２１を個々に組み付けることがないため、容易に代表ランプ装置７の組み立てをすることができる。
【００３８】
また、プリズム集合体２０の長手方向の両端部には、プリズム集合体２０をＬＥＤ取付基板４０に対して固定するための嵌合片２２が突設されている。なお、プリズム体２１の構成については、後に詳述する。
【００３９】
次に、装飾カバー１５は、図３に示すように、円筒形状から９０°の範囲でその一部を切り欠いた形状に形成されている。この切り欠き部分は、装飾カバー１５を妻板６に取り付けた際、妻板６の角部に嵌合する取付部１７として形成されるものである。また、上面及び下面には、装飾カバー１５をＬＥＤ取付基板４０に対して固定するための固定ネジ１３が挿通される固定穴１６が穿設されると共に、円筒部分の上部及び下部には、装飾模様が施されている。
【００４０】
しかして、上記した部材を用いて代表ランプ装置７を組み立てると共に妻板６に取り付けるには、まず、基板カバー５５を取り付けたＬＥＤ取付基板４０から延びるＬＥＤケーブル５１のＬＥＤコネクタ５２に、パチンコ機２の制御基板（図示しない）等に接続されて妻板６の基板取付部１０から延びる信号ケーブル５３の先端に設けられた信号コネクタ５４を接続する。これにより、ＬＥＤ５０に対して、パチンコ機２等の外部の機器からの信号を入力できる状態となる。
【００４１】
ＬＥＤコネクタ５２と信号コネクタ５４とを接続した後、妻板６の角部に形成された基板取付部１０に対して、ＬＥＤ取付基板４０を当接させる。この際、ＬＥＤ取付基板４０の取付嵌合部４２が、基板取付部１０の上下の角部に嵌合するように当接させる。この状態で、ＬＥＤ取付基板４０のＬＥＤ配置部４５と取付嵌合部４２との間に穿設されている取付穴（２箇所；図示しない）に挿通した取付ネジ１２を基板取付部１０に形成された基板取付面１１にネジ穴を切りながらねじ込んで固定する。これにより、図３に示すように、ＬＥＤ取付基板４０が妻板６に対して取り付けられることとなる。
【００４２】
上記のように、妻板６にＬＥＤ取付基板４０を取り付けた状態で、ＬＥＤ取付基板４０のＬＥＤ配置部４５にその前面側からプリズム集合体２０の下面を当接させる。ＬＥＤ配置部４５にプリズム集合体２０の下面を当接させた際、プリズム集合体２０に形成された嵌合片２２がＬＥＤ取付基板４０に形成された嵌合穴（図示しない）に嵌合し、これにより、図４に示すように、プリズム集合体２０がＬＥＤ取付基板４０に対して固定される。
【００４３】
ＬＥＤ取付基板４０に対してプリズム集合体２０を固定した状態で、装飾カバー１５の固定穴１６とＬＥＤ取付基板４０の取付ネジ穴４４とが重なるように、装飾カバー１５を妻板６の角部に当接させる。このとき、妻板６の角部は、装飾カバー１５の取付部１７に当接する。この状態で、固定穴１６に挿通した固定ネジ１３を取付ネジ穴４４に螺着することにより、装飾カバー１５がＬＥＤ取付基板４０に対して固定される。これにより、図４に示すように、代表ランプ装置７が組み立てられると同時に妻板６の角部に対して取り付けられることとなる。
【００４４】
以上、代表ランプ装置７の構成及び組み立てについて説明したが、次に、本発明の要部を構成するプリズム集合体２０について説明する。本実施形態に係るプリズム集合体２０は、前述したように、ＬＥＤ５０の横方向の列を構成する３つのＬＥＤ５０に対応して１つ設けられるプリズム体２１を厚さ方向で複数列設して一体的に形成することにより構成されるものである。また、本実施形態に係るプリズム体２１は、前述したように、１０ｍｍの厚さで形成されるものであり、このプリズム体２１が５ｍｍ間隔で連続的に１２個一体的に形成されることにより、プリズム集合体２０が構成されている。なお、複数個のプリズム体２１を一体的に形成したプリズム集合体２０を用いるものだけでなく、必要な個数のプリズム体２１を個別に形成し、所定の間隔をおいて並べたものであってもよい。
【００４５】
本実施形態に係るプリズム体２１は、透明アクリル樹脂等の透明合成樹脂により形成されるものであり、図５（ｂ）に示すように、左右対称な多角形の平面形状をしている。具体的には、ＬＥＤ５０が挿入される部分であるプリズム基体部２３と、プリズム体２１を妻板６に設置した際に遊技者側に位置するその一側方に形成されるプリズム部３０ａと、プリズム部３０ａに隣接して形成され、プリズム部３０ａ側からプリズム体２１の中央側へ向けて下り傾斜し且つその外面がプリズム体２１の平面視での縦中心線３４とほぼ４５°の角度をなすように設置される先端プリズム内面３７ａを備えた鋭角状の先端プリズム部３５ａと、縦中心線３４を挟んでプリズム部３０ａ及び先端プリズム部３５ａと線対称でそれぞれ形成される対称プリズム部３０ｂ及び対称先端プリズム部３５ｂと、から構成されている。
【００４６】
上記したプリズム基体部２３は、プリズム集合体２０をＬＥＤ取付基板４０に取り付けたときにＬＥＤ配置部４５に当接する当接面部２５と、側方に位置する基体部側面部２６と、により構成される部分であり、当接面部２５には、プリズム集合体２０をＬＥＤ取付基板４０に取り付けたときにＬＥＤ５０が挿入されるＬＥＤ挿入凹部２４が３箇所形成されている。
【００４７】
また、プリズム部３０ａは、基体部側面部２６と２２４°（図中、ｅで示す）の角度をなす第３プリズム内面３３ａと、この第３プリズム内面３３ａと６７．５°（図中、ｄで示す）の角度をなす第２プリズム内面３２ａと、この第２プリズム内面３２ａと１１２．５°（図中、ｃで示す）の角度をなす第１プリズム内面３１ａと、により両側方に突出して構成される部分である。
【００４８】
また、先端プリズム部３５ａは、上記した先端プリズム内面３７ａと、この先端プリズム内面３７ａと４６°（図中、ｆで示す）の角度をなす先端側面部３６ａと、により先端側に突出して構成される部分である。
【００４９】
また、対称プリズム部３０ｂは、上記したように、縦中心線３４を挟んでプリズム部３０ａと対称形状に形成されるものであり、プリズム部３０ａの第１プリズム内面３１ａ及び第２プリズム内面３２ａ及び第３プリズム内面３３ａと対応する位置には、それぞれ対称第１プリズム内面３１ｂ及び対称第２プリズム内面３２ｂ及び対称第３プリズム内面３３ｂが形成されている。
【００５０】
また、対称先端プリズム部３５ｂは、上記したように、縦中心線３４を挟んで先端プリズム部３５ａと対称形状に形成されるものであり、先端プリズム部３５ａの先端側面部３６ａ及び先端プリズム内面３７ａと対応する位置には、それぞれ対称先端側面部３６ｂ及び対称先端プリズム内面３７ｂが形成されている。
【００５１】
次に、ＬＥＤ５０から発光される光が上記したプリズム部３０ａによって様々な方向に分けられる状態について説明する。まず、図６について説明すると、図６では、ＬＥＤ５０から発光される光の光束幅を示しており、図中、破線で示す線が光束幅の中心線である光束中心線ｃを示している。また、図中、実線で示す光線ａ，ｅで囲まれる範囲は、ＬＥＤ５０から発光される光のうち約５０％の光が含まれる光束幅を示している。この光線ａ，ｅは、光束中心線ｃからそれぞれ約５°の角度をなしている。即ち、ＬＥＤ５０から発光される光のうち約５０％が、光束中心線ｃを挟んで約１０°の範囲に集まっている。また、図６の光線ａ，ｅで示される範囲内には、第１プリズム内面３１ａと第２プリズム内面３２ａとの交点に向う二点鎖線で示される光線ｂ及び、第１プリズム内面３１ａの垂線となす角が後述する臨界角となる一点鎖線で示される光線ｄが示されている。
【００５２】
なお、後述するように、光線ａと第２プリズム内面３２ａとの交点をＡ，光線ｂと第１プリズム内面３１ａ又は第２プリズム内面３２ａとの交点をＢ，光線ｃと第１プリズム内面３１ａとの交点をＣ，光線ｄと第１プリズム内面３１ａとの交点をＤ，光線ｅと第１プリズム内面３１ａとの交点をＥとしている。また、図６に示すようにＡＢ間を第１光束，ＢＤ間を第２光束，ＤＥ間を第３光束としている。
【００５３】
そこで、上記した光線ａ〜ｅのうち、二点鎖線，破線及び一点鎖線で示される光線ｂ〜ｄについて説明する。まず、光線ｄは、第１プリズム内面３１ａの垂線となす角、即ち、入射角が図７に示すθ1となるように第１プリズム内面３１ａに入射する。このとき、この角度θ1は臨界角であるため、第１プリズム内面３１ａに入射した光線ｄは、第１プリズム内面３１ａで反射する光線ｄ（図７に示す）とプリズム体２１から出射される光線ｄ（図８に示す）とに分けられる。
【００５４】
ここで、臨界角とは、上記のように入射した光線が全反射をするか否かの境界の角度であり、入射角が臨界角より大きいときには、入射した光線はプリズム体２１から出射することなく全反射し、入射角が臨界角以下のときには、入射した光線はプリズム体２１から出射する光線と反射する光線とに分けられる。なお、臨界角等は、以下の条件に基づいて求めている。
・空気の屈折率：１．０００２９２
・プリズム体２１（アクリル樹脂）の屈折率：１．４９２
・臨界角：ｓｉｎ-1（１．０００２９２／１．４９２）≒４２．１°
・光がプリズムから空気中に進む場合
・・入射角が臨界角より大きいときは全反射
・・入射角が臨界角以下のときは
・・・屈折角＝ｓｉｎ-1（ｓｉｎθ×（１．０００２９２／１．４９２））
・光が空気中からプリズムに進む場合
・・・屈折角＝ｓｉｎ-1（ｓｉｎθ×（１．４９２／１．０００２９２））
上記したように、光線ｄの第１プリズム内面３１ａに対する入射角θ1は、臨界角である４２．１°であるため、入射したＤ点でプリズム体２１から出射する光線ｄと反射する光線ｄとに分けられる。このうちＤ点で反射した光線ｄは、次に第２プリズム内面３２ａに入射角θ1´で入射する。ここで、θ1´は約７０．４°であり、臨界角よりも大きい角度であるため入射したＤ´点で全反射する。そして、Ｄ´点で全反射した光線ｄは、第３プリズム内面３３ａからプリズム体２１の外部へ出射される。光線ｄは第３プリズム内面３３ａに入射する際、第３プリズム内面３３ａに対してわずかな入射角で入射するため、第３プリズム内面３３ａを透過してプリズム体２１の外部へ出射されるときにわずかな屈折角で出射される。
【００５５】
次に、光束中心線である光線ｃは、入射角が図７に示すθ2となるように第１プリズム内面３１ａに入射する。ここで、この角度θ2は約４５°であり、臨界角よりも大きい角度であるため、第１プリズム内面３１ａに入射した光線ｃは、プリズム体２１から出射されることなくＣ点で全反射する。Ｃ点で全反射した光線ｃは、次に第２プリズム内面３２ａに入射角θ2´で入射する。ここで、θ2´は約６７．５°であり、臨界角よりも大きい角度であるため入射したＣ´点で全反射する。そして、Ｃ´点で全反射した光線ｃは、第３プリズム内面３３ａからプリズム体２１の外部へ出射される。光線ｃは第３プリズム内面３３ａに入射する際、第３プリズム内面３３ａに対してほぼ垂直に入射するため、第３プリズム内面３３ａを透過してプリズム体２１の外部へ出射されるときにも第３プリズム内面３３ａに対してほぼ垂直に出射される。
【００５６】
次に、光線ｂは、第１プリズム内面３１ａと第２プリズム内面３２ａとの交点に向けて入射する。ただし、厳密には、図７の拡大図に示すように、入射角がθ3となるように第１プリズム内面３１ａに入射する。ここで、この角度θ3は、臨界角よりも大きい角度であるため、第１プリズム内面３１ａに入射した光線ｂは、プリズム体２１から出射されることなくＢ点で全反射する。Ｂ点で全反射した光線ｂは、次に第２プリズム内面３２ａに入射角θ3´で入射する。ここで、θ3´は、臨界角よりも大きい角度であるため、入射したＢ´点で全反射する。そして、Ｂ´点で全反射した光線ｂは、第３プリズム内面３３ａからプリズム体２１の外部へ出射される。光線ｂは第３プリズム内面３３ａに入射する際、第３プリズム内面３３ａに対してわずかな入射角で入射するため、第３プリズム内面３３ａを透過して光線ｂがプリズム体２１の外部へ出射されるときにわずかな屈折角で出射される。
【００５７】
以上、光線ａ〜ｅのうち、プリズム体２１内で全反射した後、外部へ出射される光線ｂ〜ｄについて説明したが、次に、光線ａ〜ｅのうち、外部へ出射される光線ａ，ｂ，ｄ，ｅについて説明する。まず、図８を参照して、光線ｄ，ｅについて説明する。
【００５８】
光線ｄは、前述したように、第１プリズム内面３１ａに対して入射角θ1で入射するが、θ1は臨界角の約４２．１°であるため、第１プリズム内面３１ａで反射する光線ｄとプリズム体２１から外部へ出射される光線ｄとに分けられる。このうち、プリズム体２１から外部へ出射される光線ｄは、図８に示すように、第１プリズム内面３１ａとほぼ平行にプリズム体２１から外部へ出射される。
【００５９】
また、光線ｅは、第１プリズム内面３１ａに対して入射角θ4で入射するが、θ4は臨界角以下の約４０°であるため、第１プリズム内面３１ａで反射する光線ｅとプリズム体２１から外部へ出射される光線ｅとに分けられる。このうち、プリズム体２１から外部へ出射される光線ｅは、屈折角が約７３．５°でプリズム体２１から外部へ出射される。
【００６０】
次に、図９を参照して、光線ａ，ｂについて説明する。まず、光線ｂは、前述したように、第１プリズム内面３１ａと第２プリズム内面３２ａとの交点に向けて入射する。ただし、厳密には、図９の拡大図に示すように、入射角がθ3´´となるように、第２プリズム内面３２ａに入射する。ここで、この角度θ3´´は臨界角以下であるため、第２プリズム内面３２ａで反射する光線ｂとプリズム体２１から外部へ出射される光線ｂとに分けられる。
【００６１】
また、光線ａは、第２プリズム内面３２ａに対して入射角θ5で入射するが、θ5は臨界角以下の約１７．５°であるため、第２プリズム内面３２ａで反射する光線ａとプリズム体２１から外部へ出射される光線ａとに分けられる。このうち、プリズム体２１から外部へ出射される光線ａは、屈折角が約２６．６°でプリズム体２１から外部へ出射される。
【００６２】
上記したように、ＬＥＤ５０から発光された光は、プリズム体２１のプリズム部３０ａによって様々な方向に分けられるが、図６における第１光束，第２光束及び第３光束は、図１０において、それぞれ「３」で示す光束，「１」で示す光束，「２」で示す光束としてプリズム集合体２０から外部へ出射される。
【００６３】
なお、上記した「１」〜「３」で示す光束は、図１０においてＬＥＤ取付基板４０の左側に配置されたＬＥＤ５０を用いて、プリズム部３０ａによって発光されるものであるが、前述したように、縦中心線３４を挟んでプリズム部３０ａと線対称で形成される対称プリズム部３０ｂが形成されており、また、図１０で示すように、ＬＥＤ取付基板４０の右側にもＬＥＤ５０が配置されているため、「１」〜「３」で示す光束と対称の位置には、同様に「４」〜「６」で示す光束として、右側のＬＥＤ５０を用いて発光した光束がプリズム集合体２０から外部へ出射されるようになっている。
【００６４】
なお、光束「４」は、ＬＥＤ５０から発光された光を、対称プリズム部３０ｂの対称第１プリズム内面３１ｂ及び対称第２プリズム内面３２ｂで反射させた後その光束中心線が対称第３プリズム内面３３ｂに対してほぼ垂直となるようにして対称第３プリズム内面３３ｂを透過させることにより、出射されるものである。
【００６５】
また、光束「５」及び「６」は、ＬＥＤ５０から発光された光を、対称プリズム部３０ｂの対称第１プリズム内面３１ｂ又は対称第２プリズム内面３２ｂを透過させることにより、出射されるものである。
【００６６】
また、前述したように、プリズム部３０ａに隣接して先端プリズム部３５ａが形成されると共に、縦中心線３４を挟んで先端プリズム部３５ａと線対称で形成される対称先端プリズム部３５ｂが形成されており、この対称先端プリズム部３５ｂには、先端プリズム部３５ａの先端プリズム内面３７ａと対応する位置に対称先端プリズム内面３７ｂが形成されている。また、ＬＥＤ取付基板４０の中央にはＬＥＤ５０が配置されている。
【００６７】
このため、このＬＥＤ５０から発光された光は、先端プリズム内面３７ａ及び対称先端プリズム内面３７ｂでその光束中心線ｃがほぼ９０°の角度で方向転換するように反射し、図１０に示すように、それぞれ「７」，「８」で示す光束として外部へ出射される。
【００６８】
上記したように、外部に向けて様々な方向へ光を発光するプリズム集合体２０を備えた代表ランプ装置７は、本実施形態においては、図１１で示すように、妻板６の外側面の側方角部に設置されている。また、この代表ランプ装置７は、妻板６の表面から約４５°傾いた状態で取り付けられている。このため、図１１に示すように、ＬＥＤ５０は、ＬＥＤ５０の立設方向に平行な所定の光束幅の中心線を示す光束中心線ｃと、パチンコ島台１に列設されるパチンコ機２の列設方向に平行な列設平行線８と、でなされる角度がほぼ１３５°となるように配置されている。また、プリズム体２１の第３プリズム内面３３ａは、列設平行線８に対してほぼ垂直となるように設置されている。
【００６９】
本実施形態における代表ランプ装置７は、このように設置されるものであるため、図１１において、「１」で示される光束がパチンコ機２で遊技をする遊技者の方向へ向けて出射されると共に、「２」，「３」で示される光束が遊技をする遊技者の方向以外の方向、例えば、遊技場に設けられた通路に向けて出射される。このため、ＬＥＤ５０が発光していることを遊技者及び通路に待機している遊技場の係員の双方が認識することができる。
【００７０】
従って、遊技者のいる方向及びそれ以外の方向に向けてそれぞれ基板を設け、この基板毎にＬＥＤ５０を実装するという構成にすることなく、ＬＥＤ５０が発光していることを遊技場の係員及び遊技者の双方が認識することができる。このように、ＬＥＤ５０の個数及び基板の枚数を削減することができるため、ＬＥＤ５０が発光した状態を広い範囲から認識することができる代表ランプ装置７を低コストで製造することができる。
【００７１】
また、本実施形態における代表ランプ装置７は、上記のように設置されるものであるため、図１１において、「４」で示される光束が妻板６の平面視での長手方向にほぼ平行な方向、例えば、遊技場に設けられた通路とほぼ平行な方向に出射されると共に、「５」，「６」で示される光束が妻板６の平面視での長手方向にほぼ平行な方向以外の方向に出射される。このため、代表ランプ装置７から遠く離れて通路上に待機している係員がこの代表ランプ装置７のＬＥＤ５０が発光していることを認識し易くなると共に、通路が設けられている方向以外の方向に待機している係員もＬＥＤ５０の発光を認識し易くなる。
【００７２】
また、本実施形態における代表ランプ装置７は、上記のように設置されるものであるため、図１１において、「７」，「８」で示される光束が代表ランプ装置７の真横の方向へ向けて出射される。
【００７３】
以上のように、本実施形態に係る代表ランプ装置７においては、プリズム体２１が、ＬＥＤ５０から発光された光を様々な方向に出射する上記したプリズム部３０ａ，対称プリズム部３０ｂ，先端プリズム部３５ａ，対称先端プリズム部３５ｂにより構成されているため、ＬＥＤ５０が発光した状態をより広い範囲から認識させることができる。なお、図１１では、妻板６の右側方の角部に設置された代表ランプ装置７のみ図示してあるが、妻板６の左側方の角部に設置された代表ランプ装置７も同様の機能を有するものである。
【００７４】
なお、上記したプリズム２１は、アクリル樹脂の他に、例えば、ポリカーボネード樹脂，ポリアセタール樹脂，ＡＳ樹脂，ＰＳ樹脂等により形成されるものであってもよい。
【００７５】
なお、本実施形態に係る代表ランプ装置７は、通常時は、青色のＬＥＤ５０が常時点灯し、遊技場の装飾として機能している。そして、１つの代表ランプ装置７が担当する複数の呼出ランプの何れかによって遊技場の係員が呼び出されると、つまり、呼出時は、赤色のＬＥＤ５０が点滅（点灯）する。また、１つの代表ランプ装置７が担当する複数の呼出ランプの何れかによって遊技機の大当りが報知されると、つまり、大当り時は、緑色のＬＥＤ５０が点滅（点灯）する。また、１つの代表ランプ装置７が担当する複数の呼出ランプの何れかによって遊技機に対する不正が報知されると、つまり、不正時は、赤色、青色、緑色のＬＥＤ５０が全点滅（全点灯）する。このように構成することにより、不正時の点滅パターンを一番優先度を高くすることができる。
【００７６】
なお、本実施形態に係るパチンコ島台１の台間玉貸機５には、以下の機能を備えている。所謂、携帯電話を台間玉貸機５の所定の部位にかざす事で、携帯電話からの信号により台間玉貸機５は入金を認識し、玉を貸し出す機能を備えている。この様に構成することにより、使い捨てのプリペイドカードが不要となり、使用済みのプリペイドカードが氾濫するという問題が起こらなくなる。なお、携帯電話への入金は、遊技場内に設置された入金機で行う。
【図面の簡単な説明】
【００７７】
【図１】実施形態に係るパチンコ島台の外観斜視図である。
【図２】妻板にＬＥＤ取付基板及び基板カバーを取り付ける状態を示す斜視図である。
【図３】ＬＥＤ取付基板を取り付けた妻板にプリズム集合体及び装飾カバーを取り付ける状態を示す斜視図である。
【図４】妻板に代表ランプ装置が取り付けられた状態を示す斜視図である。
【図５】プリズム集合体の斜視図及びプリズム集合体を構成するプリズム部の形状を示す図である。
【図６】ＬＥＤから発光される光のプリズム集合体内での状態を示す図である。
【図７】ＬＥＤから発光される光がプリズム集合体内で全反射して第３プリズム内面から外部へ出射する状態を示す図である。
【図８】ＬＥＤから発光される光が第１プリズム内面から外部へ出射する状態を示す図である。
【図９】ＬＥＤから発光される光が第２プリズム内面から外部へ出射する状態を示す図である。
【図１０】ＬＥＤから発光される光がプリズム集合体全体から外部へ出射される状態を示す図である。
【図１１】妻板に設置した代表ランプ装置から光が外部へ出射される状態を示す図である。
【符号の説明】
【００７８】
１  パチンコ島台（遊技機島台）
２  パチンコ機（遊技機）
６  妻板
７  代表ランプ装置（ランプ装置）
８  列設平行線
２０  プリズム集合体
２１  プリズム体
３０ａ  プリズム部
３０ｂ  対称プリズム部
３１ａ  第１プリズム内面
３１ｂ  対称第１プリズム内面
３２ａ  第２プリズム内面
３２ｂ  対称第２プリズム内面
３３ａ  第３プリズム内面
３３ｂ  対称第３プリズム内面
３４  縦中心線
３５ａ  先端プリズム部
３５ｂ  対称先端プリズム部
３７ａ  先端プリズム内面
３７ｂ  対称先端プリズム内面
５０  ＬＥＤ（発光素子）
【図１】
2006217987.tif 000003
【図２】
2006217987.tif 000004
【図３】
2006217987.tif 000005
【図４】
2006217987.tif 000006
【図５】
2006217987.tif 000007
【図６】
2006217987.tif 000008
【図７】
2006217987.tif 000009
【図８】
2006217987.tif 000010
【図９】
2006217987.tif 000011
【図１０】
2006217987.tif 000012
【図１１】
2006217987.tif 000013